(57)【要約】【課題】従来技術の欠点を除去すること、ＨＯＥＬの動作を向上させること、ＨＯＥＬ用の固定具において放熱を生じさせること。【解決手段】内部表面および外部表面を有する固定具ハウジングと：前記固定具ハウジングの内部表面に付着されてそこから拡張している、空間で隔てられた一対のヒートシンクと：前記固定具ハウジン内に位置決めされ、前記ヒートシンクとアライメントされた２つの開口部を含む反射器と：前記開口部内の前記各ヒートシンクを取り囲み、前記反射器を前記ヒートシンクから熱的に絶縁する熱絶縁体と：前記ヒートシンクに取付けられた無電極ランプを有している、ことを特徴とする、高出力無電極ランプ用取付けアセンブリ。【選択図】図３
2005019382.tif 000002
【特許請求の範囲】
【請求項１】
高出力無電極ランプ用取付けアセンブリであって、
当該取付けアセンブリは、
内部表面および外部表面を有する固定具ハウジングと：
前記固定具ハウジングの内部表面に付着されてかつそこから拡張している、空間を空けて隔てられた一対のヒートシンクと：
前記固定具ハウジン内に位置決めされ、前記ヒートシンクとアライメントされた２つの開口部を含む反射器と：
前記開口部内の前記各ヒートシンクを取り囲み、前記反射器を前記ヒートシンクから熱的に絶縁する熱絶縁体と：
前記ヒートシンクに取付けられた無電極ランプを有している、
ことを特徴とする、高出力無電極ランプ用取付けアセンブリ。
【請求項２】
前記ヒートシンクは前記固定具ハウジングと一体的に形成されている、請求項１記載の取付けアセンブリ。
【請求項３】
前記ヒートシンクは前記固定具ハウジングと別個に形成されており、前記固定具ハウジングに溶接されている、請求項１記載の取付けアセンブリ。
【請求項４】
前記ヒートシンクは、前記固定具ハウジングと異なる材料である、請求項３記載の取付けアセンブリ。
【請求項５】
前記固定具ハウジングは凹状である、請求項１記載の取付けアセンブリ。
【請求項６】
前記反射器は凹状である、請求項５記載の取付けアセンブリ。
【請求項７】
前記熱絶縁体は、セラミック、シリコンまたはゴムから選択された材料から形成されている、請求項１記載の取付けアセンブリ。
【発明の詳細な説明】
【技術分野】
【０００１】
本発明はランプに関し、より詳細には高出力無電極ランプ（以下でＨＯＥＬと称す）に関する。さらに詳細には本発明はこの種のランプ用の取付けアセンブリに関する。
【背景技術】
【０００２】
ＨＯＥＬは公知であり、例えば米国特許第６１７５１９７号に開示されている。上記文献は、本発明に割り当てられており、ここでは上記刊行物の教示は参照によって組み込まれている。このようなランプは、固定具使用において満たされなければならない、特別な許容可能な動作温度を有している。固定具ハウジングと反射器が別個のコンポーネントである多くの固定具において、皿状反射器は、ランプからの放射、および（ランプ作動に必要である）フェライト磁心（ferrite cores）から、ランプ用の取付けブラケットを通じて反射器に伝達される熱が原因で、過度に急激に高温になってしまう恐れがある。反射器が高温なので、（適切な作動に非常に重要である）フェライト磁心の放熱が低減されてしまい、ランプガラスおよびアマルガムチップは、反射器からの再放射が原因で比較的高温で作動する。このような不所望な条件は、ランプの作動に不利に影響する。
【０００３】
従って、ランプの作動によって生じる熱を適切に放散させて、効力および寿命を改善する、この種のランプに対する取付けアセンブリを提供することは当該分野における進歩である。
【特許文献１】米国特許第６１７５１９７号
【発明の開示】
【発明が解決しようとする課題】
【０００４】
本発明の課題は、従来技術の欠点を除去すること、ＨＯＥＬの動作を向上させること、ＨＯＥＬ用固定具において熱を放逸させることである。
【課題を解決するための手段】
【０００５】
上述の課題は、内部表面および外部表面を有する固定具ハウジングと：前記固定具ハウジングの内部表面に付着されてかつそこから拡張している、空間を空けて隔てられた一対のヒートシンクと：前記固定具ハウジン内に位置決めされ、前記ヒートシンクとアライメントされた２つの開口部を含む反射器と：前記開口部内の前記各ヒートシンクを取り囲み、前記反射器を前記ヒートシンクから熱的に絶縁する熱絶縁体と：前記ヒートシンクに取付けられた無電極ランプを有している、ことを特徴とする、高出力無電極ランプ用取付けアセンブリによって解決される。
【発明の効果】
【０００６】
このアセンブリは、ランプを反射器から効果的に絶縁させ、ランプ動作によって生じる熱を直接的に固定具ハウジングへ放逸させる。
【発明を実施するための最良の形態】
【０００７】
本発明のさらなる課題、利点および可能性ともに本発明をより良く理解するために、図に関連した以下の開示および添付した特許請求の範囲を参照されたい。
【実施例】
【０００８】
まずは図１および図２を参照する。図１および図２には、ランプエンベロープ１２０を有するランプ１００が示されている。ランプエンベロープは、管状で、閉ループ状の輪郭を有しかつ無電極である。ランプ１００は、バッファガスと水銀蒸気とが封入された放電領域１４０を取り囲んでいる。燐コーティングが、ランプエンベロープ１２０の内面に施されていてよい。高周波（ＲＦ）源（本願では図示されていないが、前述した米国特許第６１７５１９７号には図示されている）からの高周波（ＲＦ）エネルギは、第１の変圧器フェライト磁心２２０と第２の変圧器フェライト磁心２４０によってランプ１００に誘導結合される。それぞれの変圧器コア２２０、２４０は、ランプエンベロープ１２０を取り囲む環状の輪郭を有していると有利である。ＲＦ源は、第１の変圧器コア２２０に設けられた巻線３００と、第２の変圧器コア２４０に設けられた巻線３２０に接続されている。
【０００９】
取付けブラケット（Mounting brackets）４０および４２は、変圧器コアを取り囲み、ねじ受け溝（screw receiving slots）４６のような適切な取付け手段が設けられた脚部４４を有している。リテンションばね（Retention springs）４８は、ブラケットを位置に保持するために、ランプの最終組立前に固定具に設けられてもよい。
【００１０】
次に図３および図４を参照する。図３および図４には、ランプ１００に対する取付けアセンブリ１０が示されている。ここでこの取付けアセンブリは、内部表面１６および外部表面１８を有する固定具ハウジング１４を含む。固定具ハウジングは有利には、アルミニウムから成る。
【００１１】
空間を空けて隔てられたヒートシンク２０、２１は固定具ハウジング１４の内部表面１６に付着されている。有利な実施形態ではこのヒートシンクは、ハウジングと一体である。択一的な実施形態では、このヒートシンクは３０のように、内部表面に溶接可能である。さらに別の択一的な実施形態では、アセンブリの最終用途によって指図されるように、ヒートシンクおよび固定具ハウジングは異なる材料であってもよい。
【００１２】
有利には、固定具ハウジングのように凹状である反射器２２は固定具ハウジング１４内に位置決めされる。反射器２２は２つの開口部２４、２６を含む。これらの開口部は、ヒートシンク２０、２１とアライメントされている。熱絶縁体２８、２９は開口部内に位置決めされており、ヒートシンクを取り囲んでいる。従って、反射器をヒートシンクから熱的に絶縁している。これらの熱絶縁体は、セラミック、シリコンまたはゴムから選択された材料から形成される。
【００１３】
ランプ１００は、ブラケット４０、４２を直接的にヒートシンク２０、２１のトップ表面に取り付けることによって、固定具ハウジング内に取付けられる。取付けは有利には、ヒートシンク内に形成されたねじ穴を用い、脚部４４およびねじ受け溝４６を通るねじを介してブラケットを場所に固定することによって行われる。
【００１４】
この構造によって、反射器が変圧器フェライト磁心によって加熱されないこと、従ってランプ動作中に比較的冷たいことが保証される。従ってランプガラス球およびアマルガムチップの温度はより冷たくなり、ランプの動作が改善され、効力および寿命が増長する。
【００１５】
目下、本発明の有利な実施形態であるとみなされるものを図示および説明したが、当該分野の技術者には、添付された特許請求の範囲によって規定された本発明の範囲を逸脱することなく、種々の変更および修正が可能であることが明らかである。
【図面の簡単な説明】
【００１６】
【図１】本発明とともに使用可能なランプの側面図である。
【００１７】
【図２】図１に記載されたランプの立面図である。
【００１８】
【図３】本発明の構成に従った取付けアセンブリの概略的な部分側面図である。
【００１９】
【図４】ランプが取り外された、図３の取付けアセンブリの立面図である。
【符号の説明】
【００２０】
１０  取付けアセンブリ
１４  固定具ハウジング
１６  内部表面
１８  外部表面
２０、２１  ヒートシンク
２２  反射器
２４、２６  開口部
２８、２９  熱絶縁体
４０、４２  取付けブラケット
４４  脚部
４６  ねじ受け溝
４８  リテンションばね
１００  ランプ
１２０  ランプエンベロープ
１４０  放電領域
２２０、２４０  変圧器フェライト磁心
３００、３２０  巻線
【図１】
2005019382.tif 000003
【図２】
2005019382.tif 000004
【図３】
2005019382.tif 000005
【図４】
2005019382.tif 000006